(57)【要約】【課題】  簡易な構成により作業性良くワックスを拭き取れるワックス拭き取り用具を提供しようとする。【解決手段】  従来のワックスを拭き取るためのワックス拭き取り用具にかわって、人間の手に被せることをでき互いに反対方向に面を向けた１対の表面である第一表面と第二表面とを持つ袋状であって、閉じた先端部を上に向け一方の前記表面を正面に見て前記先端部を左右均等になる様に２つの部分に分ける切欠き部を設けられた形状を有する本体と、前記本体の前記第一表面に根本を固定される毛足である無数の第一毛足と、前記本体の前記第二裏面に根本を固定される毛足である無数の第二毛足と、を備える、ものとした。【選択図】    図１
2009172304.tif 000002
【特許請求の範囲】
【請求項１】
ワックスを拭き取るためのワックス拭き取り用具であって、
人間の手に被せることをでき互いに反対方向に面を向けた１対の表面である第一表面と第二表面とを持つ袋状であって閉じた先端部を上に向け一方の前記表面を正面に見て前記先端部を左右均等になる様に２つの部分に分ける切欠き部を設けられた形状を有する本体と、
前記本体の前記第一表面に根本を固定される毛足である無数の第一毛足と、
前記本体の前記第二裏面に根本を固定される毛足である無数の第二毛足と、
を備える、
ことを特徴とするワックス拭き取り用具。
【請求項２】
前記切欠き部の形が前記先端部の方へ移動するに従い拡がる略Ｖ字状である、
ことを特徴とする請求項１に記載のワックス拭き取り用具。
【請求項３】
前記本体が前記表面を形成する第一層と独立気泡をもった発泡樹脂素材でできた第二層とを有し、
前記第二層が前記第一層の内側に位置する、
ことを特徴とする請求項１に記載のワックス拭き取り用具。
【請求項４】
前記毛足が前記本体の前記表面に根本を固定される極細繊維部と該極細繊維部の外周に生えた無数の細かい毛部とを有する、
ことを特徴とする請求項１に記載のワックス拭き取り用具。
【請求項５】
前記先端部を上に向け第一表面を正面に見て無数の前記第一毛足が根本から毛先に向かって左右方向の一方である特定方向に流れ、
前記先端部を上に向け第二表面を正面に見て無数の前記第二毛足が根本から毛先に向かって前記特定方向に流れる、
ことを特徴とする請求項１に記載のワックス拭き取り用具。
【請求項６】
前記先端部を上に向け一方の前記表面を正面に見て無数の前記毛足が左右方向に沿って流れる、
ことを特徴とする請求項１に記載のワックス拭き取り用具。
【発明の詳細な説明】
【技術分野】
【０００１】
本発明は、ワックスを拭き取るためのワックス拭き取り用具に係る。
【背景技術】
【０００２】
自動車等の表面にワックスをコーティングすることが行われる。
そのために、ワックスを表面に塗布した後で、余分のワックスを拭き取る。
ワックスを拭き取るのに、各種のワックス拭き取り用具が提案されている。
【０００３】
ワックス拭き取り用具には、作業性の良好なものを求められる。
【０００４】
例えば、大きな面を少ない力で拭き取れる。
例えば、ドアノブの窪み等の狭い場所を仕上げよく拭きとれる。
例えば、右手でも左手でも使用できる。
例えば、寒い時でも困難を感じることなく作業できる。
例えば、ワックスを拭き取られた面が奇麗である。
【０００５】
【特許文献１】特開平７−２７５１７６号
【特許文献２】特開２００７−１４４０５５号
【特許文献３】特開平７−３０３５８８号
【発明の開示】
【発明が解決しようとする課題】
【０００６】
本発明は以上に述べた問題点に鑑み案出されたもので、簡易な構成により作業性良くワックスを拭き取れるワックス拭き取り用具を提供しようとする。
【課題を解決するための手段】
【０００７】
上記目的を達成するため、本発明に係るワックスを拭き取るためのワックス拭き取り用具を、人間の手に被せることをでき互いに反対方向に面を向けた１対の表面である第一表面と第二表面とを持つ袋状であって、閉じた先端部を上に向け一方の前記表面を正面に見て前記先端部を左右均等になる様に２つの部分に分ける切欠き部を設けられた形状を有する本体と、前記本体の前記第一表面に根本を固定される毛足である無数の第一毛足と、前記本体の前記第二裏面に根本を固定される毛足である無数の第二毛足と、を備える、ものとした。
【０００８】
上記本発明の構成により、本体が、人間の手に被せることをでき互いに反対方向に面を向けた１対の表面である第一表面と第二表面とを持つ袋状であって閉じた先端部を上に向け一方の前記表面を正面に見て前記先端部を左右均等になる様に２つの部分に分ける切欠き部を設けられた形状を有する。無数の第一毛足が、前記本体の前記第一表面に根本を固定される毛足である。無数の第二毛足が、前記本体の前記第二裏面に根本を固定される毛足である。
その結果、右手または左手の一方に被せた前記本体の前記表面をワックスの塗布された面に当てて擦ると、表面の無数の毛足が余分のワックスを拭き取り、切欠き部に分けられた先端部の２つの部分が狭い場所のワックスを効率良く拭きとることができる。
【０００９】
以下に、本発明の実施形態に係るワックス拭き取り用具を説明する。本発明は、以下に記載した実施形態のいずれか、またはそれらの中の二つ以上が組み合わされた態様を含む。
【００１０】
本発明の実施形態に係るワックス拭き取り用具は、前記切欠き部の形が前記先端部の方へ移動するに従い拡がる略Ｖ字状である。
上記の実施形態の構成により、先端部を上に向け一方の前記表面を正面に見て前記先端部の方へ移動するに従い拡がる略Ｖ字状になった切欠き部が前記先端部を左右均等になる様に２つの部分に分ける。
その結果、切欠き部に分けられた先端部の２つの部分が先細りの形状になり、さらに狭い場所のワックスを効率良く拭きとることができる。
【００１１】
本発明の実施形態に係るワックス拭き取り用具は、前記本体が前記表面を形成する第一層と独立気泡をもった発泡樹脂素材でできた第二層とを有し、前記第二層が前記第一層の内側に位置する。
上記の実施形態の構成により、前記本体が表面を形成する第一層と第一層の内側に位置する第二層とを有し、第二層が独立気泡をもった発泡樹脂素材でできる。
その結果、本体が防水効果、保温効果をもち、作業を快適に作業できる。
【００１２】
本発明の実施形態に係るワックス拭き取り用具は、前記毛足が前記本体の前記表面に根本を固定される極細繊維部と該極細繊維部の外周に生えた無数の細かい毛部とを有する。
上記の実施形態の構成により、手足が極細繊維部と無数の毛部とを有し、極細繊維部が前記本体の前記表面に根本を固定され、細かい毛部が該極細繊維部の外周に生える。
その結果、表面をワックスの塗布された面に当てて擦ると、拭き取られたワックスが、細かい毛部に捕捉され、効率良く作業できる。
【００１３】
本発明の実施形態に係るワックス拭き取り用具は、前記先端部を上に向け第一表面を正面に見て無数の前記第一毛足が根本から毛先に向かって左右方向の一方である特定方向に流れ、前記先端部を上に向け第二表面を正面に見て無数の前記第二毛足が根本から毛先に向かって前記特定方向に流れる。
上記の実施形態の構成により、前記先端部を上に向け前記第一表面を正面に見て無数の前記第一毛足が表面に根本を固定され特定方向に沿って流れる。前記先端部を上に向け前記第二表面を正面に見て無数の前記第二毛足が表面に根本を固定され特定方向に沿って流れる。
その結果、右手または左手の一方に本体を被せて表面をワックスの塗布された面に当てて左右方向の一方に擦ると、第一表面でワックスを拭き取った場合と第二表面でワックスを拭き取った場合とで、ワックスを拭き取った面の状態が均一になる。
【００１４】
本発明の実施形態に係るワックス拭き取り用具は、前記先端部を上に向け一方の前記表面を正面に見て無数の前記毛足が左右方向に沿って流れる。
上記の実施形態の構成により、前記先端部を上に向け一方の前記表面を正面に見て無数の前記毛足が表面に根本を固定され左右方向に沿って流れる。
その結果、右手または左手の一方に本体を被せて表面をワックスの塗布された面に当てて左右方向に擦ると、毛足の流れ方向に沿ってワックスを拭き取れる。
【発明の効果】
【００１５】
以上説明したように、本発明に係るワックス拭き取り用具は、その構成により、以下の効果を有する。
表面に無数の毛足の根本を固定した袋状の本体の先端部に切欠き部を設け、切欠き部が前記先端部を左右均等になる様に２つの部分に分ける様にしたので、右手または左手の一方に被せた前記本体の前記表面をワックスの塗布された面に当てて擦ると、表面の無数の毛足が余分のワックスを拭き取り、切欠き部に分けられた先端部の２つの部分が狭い場所のワックスを効率良く拭きとることができる。
また、前記先端部の方へ移動するに従い拡がる略Ｖ字状になった切欠き部が前記先端部を左右均等になる様に２つの部分に分ける様にしたので、切欠き部に分けられた先端部の２つの部分が先細りの形状になり、さらに狭い場所のワックスを効率良く拭きとることができる。
また、前記本体が表面を形成する第一層と第一層の内側に位置する第二層とを有し、第二層が独立気泡をもった発泡樹脂素材でできる様にしたので、本体が防水効果、保温効果をもち、作業を快適に作業できる。
また、細かい毛部が前記本体の前記表面に根本を固定される該極細繊維部の外周に生える様にしたので、表面をワックスの塗布された面に当てて擦ると、拭き取られたワックスが、細かい毛部に捕捉され、効率良く作業できる。
また、無数の前記第一毛足が表面に根本を固定され前記特定方向に沿って流れる、無数の前記第二毛足が表面に根本を固定され前記特定方向に沿って流れる様にしたので、右手または左手の一方に本体を被せて表面をワックスの塗布された面に当てて左右方向の一方に擦ると、第一表面でワックスを拭き取った場合と第二表面でワックスを拭き取った場合とで、ワックスを拭き取った面の状態が均一になる。
また、無数の前記毛足が表面に根本を固定され左右方向に沿って流れる様にしたので、右手または左手の一方に本体を被せて表面をワックスの塗布された面に当てて左右方向に擦ると、毛足の流れ方向に沿ってワックスを拭き取れる。
従って、簡易な構成により作業性の良いワックス拭き取り用具を提供できる。
【発明を実施するための最良の形態】
【００１６】
以下、本発明を実施するための最良の形態を、図面を参照して説明する。
【００１７】
最初に、本発明の実施形態に係るワックス拭き取り用具を、図を基に、説明する。
図１は、本発明の実施形態に係るワックス拭き取り用具の正面図である。図２は、本発明の実施形態に係るワックス拭き取り用具の底面図である。図３は、本発明の実施形態に係るワックス拭き取り用具の右側面図である。図４は、本発明の実施形態に係るワックス拭き取り用具の左側面図である。図５は、本発明の実施形態に係るワックス拭き取り用具の平面図である。図６は、本発明の実施形態に係るワックス拭き取り用具のＡ−Ａ線断面図である。図７は、本発明の実施形態に係るワックス拭き取り用具の部分拡大図である。図８は、本発明の実施形態に係るワックス拭き取り用具の作用説明図である。
【００１８】
ワックス拭き取り用具は、ワックスを拭き取るためのものであって、本体１０と第一毛足２１と第二毛足２２とで構成される。
例えば、ワックス拭き取り用具は、自動車に塗られたワックスＷを拭き取るものである。
【００１９】
本体１０は、人間の手に被せることをでき互いに反対方向に面を向けた１対の表面である第一表面Ｓ１と第二表面Ｓ２とを持つ袋状であって、閉じた先端部を上に向け一方の表面を正面に見て先端部を左右均等になる様に２つの部分に分ける切欠き部Ｋを設けられた形状を有する。
切欠き部Ｋの形は、先端部の方へ移動するに従い拡がる略Ｖ字状であってもよい。
本体１０は、表面を形成する第一層１１と独立気泡をもった発泡樹脂素材でできた第二層１２とを有し、第二層１２が第一層１１の内側に位置してもよい。
例えば、第一層１１は、表面に無数の毛足が折り込まれたレーヨン製である。
例えば、第二層１２は、発泡ポリウレタン製である。
例えば、第一層１１と第二層１２とが張り合わされる。
図１〜図４に示す様に、第一層１１と第二層１２とが重ね合わされ、第一表面Ｓ１の縁と第二表面Ｓ２の縁とが縫いあわされる。
図１は、本体の袋状の開口部の縁に縫い目が現れているのを示している。
【００２０】
第一毛足２１は、本体１０の第一表面Ｓ１に根本を固定される毛足２０である。
第二毛足２２は、本体１０の第二表面Ｓ２に根本を固定される毛足２０である。
毛足２０は、本体の第一層１１に根本を折り込まれた極細繊維であってもよい。
例えば、毛足はシール織りにより第一層１１に折り込まれたレーヨン製の極細繊維である。
本体１０の先端部を上に向け一方の表面を正面に見て、無数の毛足２０が左右方向に沿って流れてもよい。
本体１０の先端部を上に向け第一表面Ｓ１を正面に見て無数の第一毛足２１が根本から毛先に向かって左右方向の一方である特定方向に流れ、本体１０の先端部を上に向け第二表面を正面に見て無数の第二毛足２２が根本から毛先に向かって特定方向に流れてもよい。
図１は、本体１０の先端部を上に向け第一表面Ｓ１を正面に見た状態を正面図として示している。
ワックス拭き取り用具の裏面図はワックス拭き取り用具の正面図と同じに見える。
図６において、白抜きの矢印が毛足の流れる向きを示している。矢印の向きが、毛足の根本から先端への向きに一致する。
毛足２０が、本体１０の表面に根本を固定される極細繊維部２０ａと極細繊維部２０ａの外周に生えた無数の細かい毛部２０ｂとで構成されてもよい。
図７において、無数の毛部２０ｂが極細繊維部２０ａの外周に生えている様子を示している。
【００２１】
次に、本発明の実施形態にかかるワックス拭き取り用具の作用を、図を基に、説明する。
図７は、ワックス拭き取り用具の毛足が、ワックスを拭き取る様子を示している。
図８は、ワックス拭き取り用具を使用する態様の例を示している。
手にワックス拭き取り用具を被せ、自動車に塗布されたワックスを拭き取っている。
切欠き部Ｋが本体の先端部を左右均等になる様に２つの部分に分けるので、第一表面Ｓ１または第二表面Ｓ２のどちらを使用しても、同じ姿勢でワックスを拭き取りできる。
また、２つの部分のうちの１つの部分でドアノブと車体の間等の狭い箇所を簡易に拭き取りできる。
毛足が左右方向に沿って流れるので、左右方向に拭くと、毛足の流れる方向とワックスを拭き取る方向が一致し、ワックスを拭き取った跡が奇麗になる。
また、無数の第一毛足が根本から毛先に向かって左右方向の一方である特定方向に流れ、無数の第二毛足が根本から毛先に向かって特定方向に流れる様にしたので、第一表面Ｓ１または第二表面Ｓ２のどちらを使用してワックスを拭き取っても、ワックスを拭き取った跡の様子が均一になる。
また、無数の毛部２０ｂが極細繊維部２０ａの外周に生えているので、毛部２０ｂがワックスＷをからめ捕り、ワックスＷの拭き上げを軽い力ででき、作用が早くなる。
また、第二層が独立気泡をもった発泡樹脂素材でできているので、寒い日であっても手がかじかむことなく、気持ち良く作業をできる。
【００２２】
以上説明したように、本発明に係るワックス拭き取り用具は、その構成により、以下の効果を有する。
表面Ｓ１、Ｓ２に無数の毛足２０の根本を固定した袋状の本体１０の先端部に切欠き部Ｋが設け、切欠き部Ｋが先端部を左右均等になる様に２つの部分に分ける様にしたので、右手または左手の一方に被せた本体１０の表面Ｓ１、Ｓ２をワックスＷの塗布された面に当てて拭くと、表面の無数の毛足２０が余分のワックスＷを拭き取り、切欠き部Ｋに分けられた先端部の２つの部分が狭い場所のワックスＷを効率良く拭きとることができる。
また、先端部の方へ移動するに従い拡がる略Ｖ字状になった切欠き部Ｋが先端部を左右均等になる様に２つの部分に分ける様にしたので、切欠き部Ｋに分けられた先端部の２つの部分が先細りの形状になり、さらに狭い場所のワックスを効率良く拭きとることができる。
また、無数の毛足２０が本体１０の表面Ｓ１、Ｓ２に根本を固定され左右方向に沿って流れる様にしたので、右手または左手の一方に本体を被せて表面をワックスＷの塗布された面に当てて左右方向に擦ると、毛足２０の流れ方向に沿ってワックスＷを拭き取れる。
また、無数の第一毛足２１が表面に根本を固定され特定方向に沿って流れ、無数の第二毛足２２が表面に根本を固定され特定方向に沿って流れる様にしたので、右手または左手の一方に本体を被せて表面をワックスの塗布された面に当てて左右方向の一方に擦ると、第一表面Ｓ１でワックスを拭き取った場合と第二表面Ｓ２でワックスを拭き取った場合とで、ワックスを拭き取る毛足の姿勢が一致するのでワックスＷを拭き取った面の状態が均一になる。
また、細かい毛部２０ｂが本体の表面に根本を固定される極細繊維部２０ａの外周に生える様にしたので、表面Ｓ１、Ｓ２をワックスＷの塗布された面に当てて擦ると、拭き取られたワックスＷが、細かい毛部２０ｂに捕捉され、効率良く作業できる。
また、本体が表面を形成する第一層と第一層の内側に位置する第二層とを有し、第二層が独立気泡をもった発泡樹脂素材でできる様にしたので、本体が防水効果、保温効果をもち、作業を快適に作業できる。
【００２３】
本発明は以上に述べた実施形態に限られるものではなく、発明の要旨を逸脱しない範囲で各種の変更が可能である。
本体が表面を形成する第一層とその内側に設けられた第二層とでできていると説明したが、これに限定されず、第一層と第二層との間に他の層を設けてもよいし、第二層の内側にさらに他の層を設けてもよい。
【図面の簡単な説明】
【００２４】
【図１】本発明の実施形態に係るワックス拭き取り用具の正面図である。
【図２】本発明の実施形態に係るワックス拭き取り用具の底面図である。
【図３】本発明の実施形態に係るワックス拭き取り用具の右側面図である。
【図４】本発明の実施形態に係るワックス拭き取り用具の左側面図である。
【図５】本発明の実施形態に係るワックス拭き取り用具の平面図である。
【図６】本発明の実施形態に係るワックス拭き取り用具のＡ−Ａ線断面図である。
【図７】本発明の実施形態に係るワックス拭き取り用具の部分拡大図である。
【図８】本発明の実施形態に係るワックス拭き取り用具の作用説明図である。
【符号の説明】
【００２５】
Ｓ１  第一表面
Ｓ２  第二表面
Ｋ  切欠き部
Ｗ  ワックス
１０  本体
１１  第一層
１２  第二層
２０  毛足
２０ａ  極細繊維部
２０ｂ  毛部
２１  第一毛足
２２  第二毛足
【図１】
2009172304.tif 000003
【図２】
2009172304.tif 000004
【図３】
2009172304.tif 000005
【図４】
2009172304.tif 000006
【図５】
2009172304.tif 000007
【図６】
2009172304.tif 000008
【図７】
2009172304.tif 000009
【図８】
2009172304.tif 000010